(57)【要約】      （修正有）【課題】電気回路を使用せず、舗装の温度が上昇した際に機械的に給水することができる保水性ブロック舗装を提供する。【解決手段】基層上に並列された複数の保水性ブロック１０と、給水口２２に接続され舗装部に給水するための導水管２０と、導水管に取り付けられ保水性ブロックの温度に応じて開閉する機械式の温感式開閉バルブ３０と、温感式開閉バルブの下流側に接続され複数の保水性ブロックのそれぞれに給水する枝管２１と、を備える。温感式開閉バルブの温度感知部は、保水性ブロックに形成された凹部に挿入され凹部表面に当接している。【選択図】図１
0003218708.tif 000002
【実用新案登録請求の範囲】
【請求項１】
基層上に並列された複数の保水性ブロックと、
給水口に接続され舗装部に給水するための導水管と、
前記導水管に取り付けられ前記保水性ブロックの温度に応じて開閉する機械式の温感式開閉バルブと、
前記温感式開閉バルブの下流側に接続され前記複数の保水性ブロックのそれぞれに給水する枝管と、を備えた
ことを特徴とする保水性ブロック舗装。
【請求項２】
前記温感式開閉バルブの温度感知部は、前記保水性ブロックに形成された凹部に挿入されて凹部表面に当接している
ことを特徴とする請求項１に記載の保水性ブロック舗装。
【請求項３】
前記枝管は、前記基層内に敷設されており、所定間隔で形成された複数の貫通孔を備えている
ことを特徴とする請求項１または請求項２に記載の保水性ブロック舗装。
【考案の詳細な説明】
【技術分野】
【０００１】
本考案は、保水性ブロック舗装に関する。
【背景技術】
【０００２】
保水性ブロック舗装は、路面温度上昇抑制機能を有しており、ヒートアイランド現象の緩和に貢献する。保水性ブロック舗装は、保水性ブロックの下に給水配管を備えており、この給水配管から舗装体内に供給された水分が日射により蒸発し、気化潜熱を奪うことにより、路面の温度上昇を抑制する。従来、給水配管からの水の供給は、舗装表面の温度上昇をセンサー等で検知し、電気的な信号を介して電動ポンプを作動させて給水配管に水を流すことで行っていた（特許文献１参照）。
【先行技術文献】
【特許文献】
【０００３】
【特許文献１】特開２００７−２７０４８７号公報
【考案の概要】
【考案が解決しようとする課題】
【０００４】
しかし、従来の保水性ブロック舗装では、給水に電気回路を使用しているため、構造が複雑となり、保水性ブロック舗装の施工および保守点検に多くの手間を要する問題があった。
【０００５】
そこで、本考案は、これらの問題に鑑みて創案されたものであり、電気回路を使用せず、舗装の温度が上昇した際に機械的に給水することができる保水性ブロック舗装を提供することを課題とする。
【課題を解決するための手段】
【０００６】
前記課題を解決するための本考案は、基層上に並列された複数の保水性ブロックと、給水口に接続され舗装部に給水するための導水管と、前記導水管に取り付けられ前記保水性ブロックの温度に応じて開閉する機械式の温感式開閉バルブと、前記温感式開閉バルブの下流側に接続され前記複数の保水性ブロックのそれぞれに給水する枝管と、を備えたことを特徴とする保水性ブロック舗装である。
【０００７】
このような構成によれば、保水性ブロックの温度が上昇すると温感式開閉バルブが自動で開いて、枝管を介して保水性ブロックに水が供給されるので、電気回路が不要である。したがって、保水性ブロック舗装の施工および保守点検にかかる手間を低減することができる。
【０００８】
また、本考案は、前記温感式開閉バルブの温度感知部は、前記保水性ブロックに形成された凹部に挿入されて凹部表面に当接しているものが好ましい。このような構成によれば、温感式開閉バルブの一部が保水性ブロックの内部に収容されるので、温感式開閉バルブの設置スペースを小さくすることができる。
【０００９】
さらに、本考案は、前記枝管は、前記基層内に敷設されており、所定間隔で形成された複数の貫通孔を備えているものが好ましい。このような構成によれば、全ての保水性ブロックの下方に枝管を配管できるので、全ての保水性ブロックの下方に給水することができる。
【考案の効果】
【００１０】
本考案に係る保水性ブロック舗装によれば、電気回路を使用せず、舗装の温度が上昇した際に機械的に給水することができる。
【図面の簡単な説明】
【００１１】
【図１】本考案の実施形態に係る保水性ブロック舗装を示した概略平面図である。
【図２】本考案の実施形態に係る保水性ブロック舗装を示した要部断面図である。
【図３】変形例に係る保水性ブロック舗装を示した要部断面図である。
【考案を実施するための形態】
【００１２】
本考案の実施形態に係る保水性ブロック舗装について、添付図面を参照しつつ詳細に説明する。本実施形態では、歩道に採用された保水性ブロック舗装を例にあげて説明する。図１に示すように、保水性ブロック舗装１は、基層２と保水性ブロック１０と導水管２０と温感式開閉バルブ３０と枝管２１とを備えている。
【００１３】
図２に示すように、基層２は、路盤あるいは基礎コンクリート等の支持層３の上に敷設された敷砂にて構成されている。基層２は、導水管２０および枝管２１を敷設可能な厚さ（たとえば３０ｍｍ）となっている。
【００１４】
図１に示すように、保水性ブロック１０は、平面視で矩形形状（本実施形態では正方形形状）を呈しており、前後左右に並列されている。保水性ブロック１０は、たとえば多孔質に焼成されたセラミックスにて構成されており、保水性と透水性を備えている。セラミックスは、焼却灰スラグやガラスカレット等のリサイクル材を多く使用して形成されている。基層２（図２参照）に供給された水は、保水性ブロック１０の細かい孔に吸い上げられ、保水性ブロック１０内に保持される。日射により保水された水が蒸発することで、気化潜熱が奪われ、保水性ブロック１０が徐熱される。保水性ブロック１０の厚さは、歩道の一般部分では６０ｍｍ、切下げ部など車両が横断する部分では８０ｍｍとなっている。
【００１５】
図２に示すように、温感式開閉バルブ３０が設置される保水性ブロック１０の裏面には、凹部１１が形成されている。凹部１１には、温感式開閉バルブ３０の一部（温度感知部３１）が挿入される。凹部１１は、保水性ブロック１０の平面中央（重心位置）に形成されている。なお、凹部１１の位置は、保水性ブロック１０の中央に限定されるものではない。凹部１１の深さは、温感式開閉バルブ３０が基層２と凹部１１内で立てた状態で収容可能な深さとなっている。
【００１６】
図１および図２に示すように、導水管２０は、給水口２２から舗装部に給水するための配管である。給水口２２は、たとえば水道等の所定の供給圧がかかった水を供給するものである。導水管２０の一端部は、給水口２２に接続されており、他端部は、保水性ブロック舗装１内に延在している。導水管２０の下流側は分岐しており、所定の舗装面積毎に分岐管２３が設けられるようになっている（図１参照）。分岐管２３の先端には、温感式開閉バルブ３０が取り付けられている。
【００１７】
温感式開閉バルブ３０は、公知のものであって、温度に応じて開閉バルブが自力で開閉するものである。図２に示すように、温感式開閉バルブ３０は、温度感知部３１と開閉弁部３２とを備えている。温度感知部３１には、温度に応じて体積が変化するコンパウンドが収容されている。コンパウンドは温度が低いときは固体であり、温度が高いときは液体であり体積が増加する。コンパウンドの収容室は、一部が弾性を有する隔壁膜にて区画されている。コンパウンドの体積が増加すると、隔壁膜が膨らんで開閉弁部３２の開閉バルブを開弁する。温度感知部３１の先端面は平面状になっており、凹部１１の底面１２に当接している。開閉弁部３２は、導水管２０と枝管２１の間に接続されている。開閉バルブが開弁すると、導水管２０内の水が枝管２１に流れる。
【００１８】
図１および図２に示すように、枝管２１は、温感式開閉バルブ３０の下流側に接続されている。枝管２１は、基層２内に埋設されており、所定の舗装面積の全ての保水性ブロック１０，１０・・の下方を一筆書きの形状（図１参照）で配管されている。枝管２１は、保水性ブロック１０の中心部を通過するように配置されている。枝管２１は、所定間隔で配置された複数の貫通孔２４を有している。貫通孔２４は、枝管２１の内側と外側とを貫通した点滴孔にて構成されており、枝管２１の内部の水を舗装部に注水できるようになっている。貫通孔２４は、枝管２１の全長に渡って形成されている。なお、貫通孔２４は、保水性ブロック１０の中心部に相当する部分のみに形成してもよい。貫通孔２４は、基層２の砂が通過せず水だけが通過できる径となっている。
【００１９】
以上のような構成の保水性ブロック舗装１によれば、日射によって保水性ブロック１０の温度が上昇すると、温度感知部３１の先端面が温度上昇し、コンパウンドの体積が増加し、温感式開閉バルブ３０が自力で開く。すると、水道圧によって導水管２０から枝管２１に水が流れ、枝管２１から基層２に水が供給される。そして、水は保水性ブロック１０に吸い上げられ、保水性ブロック１０に保水された水が日射により蒸発することで、気化潜熱が奪われ、保水性ブロック１０が徐熱される。このように、かかる保水性ブロック舗装１では、電気回路が不要である。したがって、保水性ブロック舗装の施工および保守点検にかかる手間を低減することができる。
【００２０】
また、本実施形態では、温感式開閉バルブ３０の一部（温度感知部３１）は、保水性ブロック１０に形成された凹部１１に挿入されているので、温感式開閉バルブ３０の設置スペースを小さくすることができる。よって、基層２の厚さ寸法を大きくすることなく、温感式開閉バルブ３０を凹部１１と基層２内に収容できる。さらに、凹部１１の底面１２に温度感知部３１の先端を当接させているので、基層２の温度の影響を受けず、保水性ブロック１０における温度感知の精度を高くできる。
【００２１】
さらに、本実施形態では、枝管２１は、基層２内に敷設されているので、枝管２１の配置レイアウトの自由度が高く、容易に全ての保水性ブロック１０の下方に枝管２１を配管できる。そして、全ての保水性ブロック１０に保水させることができるとともに、保水性ブロック１０を徐熱することができる。また、枝管２１は、所定間隔で形成された複数の貫通孔２４，２４を全長に渡って備えているので、全長に亘って給水を行えるとともに、給水位置を調整することなく、保水性ブロック１０の下方への敷設が容易に行うことができる。
【００２２】
次に、図３を参照しながら、変形例に係る保水性ブロック舗装１ａについて説明する。保水性ブロック舗装１ａは、温感式開閉バルブ３０を装着する凹部１１ａの位置が図２で示した保水性ブロック舗装１と異なる。凹部１１ａは、保水性ブロック１０ａの側面に横向きに形成されている。このような凹部１１ａの場合は、温感式開閉バルブ３０は保水性ブロック１０ａの側方に配置され、温度感知部３１は横向きに挿入されている。そして、保水性ブロック１０ａの側部には、温感式開閉バルブ３０と導水管２０の設置スペースが設けられている。
【００２３】
以上、本考案を実施するための形態について説明したが、本考案は前記実施の形態に限定する趣旨ではなく、本考案の趣旨を逸脱しない範囲で適宜設計変更が可能である。たとえば、前記実施形態では、給水口２２は、水道管に繋がったものであるが、これに限定されるものではなく、保水性ブロック舗装１よりも高所に設けられた給水タンクにつながる給水口であってもよい。このような構成によっても前記実施形態と同等の作用効果を得られる。
【００２４】
また、前記変形例では、凹部１１ａは、横向きに形成されているが、この形状に限定されるものではない。下側の壁部を取り除いて、側方と下方に解放された形状（壁面が断面Ｌ字形状となる形状）であってもよい。
【符号の説明】
【００２５】
１      保水性ブロック舗装
１ａ    保水性ブロック舗装
２      基層
１０    保水性ブロック
１０ａ  保水性ブロック
１１    凹部
１１ａ  凹部
２０    導水管
２１    枝管
２２    給水口
２４    貫通孔
３０    温感式開閉バルブ
３１    温度感知部
【図１】
0003218708.tif 000003
【図２】
0003218708.tif 000004
【図３】
0003218708.tif 000005